(57)【要約】【課題】嵌め込み片を差し込み口に挿入して係止させるという簡易な構成で、不用意な取り扱いで嵌め込み片が差し込み口から外れるのを防止するとともにいたずらによる不正開封を抑止し、嵌め込み片を差し込み口に挿入して再封した後も不用意な嵌め込み片の外れやいたずらの抑止の機能を有するようにし、紙箱胴部の取り出し口の閉鎖が良好に行なえる紙箱を提供する。【解決手段】紙箱１の重ね合わせ板１０に嵌め込み片１１を連接し、重ね合わせ板が重なる一つの面板２に差し込み口１２を形成し、嵌め込み片１１が有する摘み片２０を、この摘み片２０が伏して嵌め込み片１１が差し込み口１２に係止する係止時位置と、摘み片２０が面板２の紙箱外面から外方に向くように回動して嵌め込み片１１を差し込み口１２との係止を解除させた係止解除時位置との二位置に配置可能とし、差し込み口に形成した押圧片１７の重ね合わせで、摘み片２０が面板２の紙箱外面に伏せ状態で重なるように付勢して係止時位置に維持する構成とした。【選択図】図３
2015054719.tif 000002
【特許請求の範囲】
【請求項１】
紙箱胴部の一つの面板の紙箱外面に重ね合わされる重ね合わせ板に嵌め込み片が連接されていて、該嵌め込み片が、前記面板での切り込みからなる差し込み口を通して前記面板の紙箱内面に沿って挿入され、この挿入された嵌め込み片が、差し込み口の切り込み縁に係止している包装用紙箱において、
前記差し込み口には、前記嵌め込み片が係止する切り込み縁とは反対側に位置して嵌め込み片の挿入方向とは反対方向に向けて凸にした押圧片が形成され、
前記嵌め込み片は、重ね合わせ板との連接部分を中心にして回動可能に設けられているとともに、前記連接部分から重ね合わせ板に切り込み形成してなる摘み片が、前記押圧片と対応する位置にして連接されていて、
前記摘み片は、摘み片が前記面板の紙箱外面に重なって伏して、嵌め込み片を前記面板の紙箱内面に沿って位置させて差し込み口に係止させる係止時位置と、摘み片が前記面板の紙箱外面から外方に向くように回動し、嵌め込み片を前記面板の紙箱内面から紙箱胴部中心に向くように連接部分を中心にして回動させて差し込み口との係止を解除させた係止解除時位置との二位置に配置可能とされ、
差し込み口に挿入して係止した嵌め込み片での摘み片近傍部分に対する前記押圧片の重ね合わせにより、摘み片が前記面板の紙箱外面に伏せ状態で重なるように付勢されて、前記摘み片が前記係止時位置に維持される構成としたことを特徴とする包装用紙箱。
【請求項２】
上記差し込み口には、切り込み縁を嵌め込み片の挿入方向に向けて凸形にした弾性片形成部により、嵌め込み片挿入方向に向けて凸にして板紙厚さ方向に撓み可能な弾性片が形成されていて、
上記摘み片が係止時位置にあるときの嵌め込み片は、前記弾性片の基端位置にある切り込み線部分に係止して、この嵌め込み片の紙箱外面に前記弾性片が重なり、
前記摘み片が係止解除時位置にあって紙箱胴部中心側に向いた嵌め込み片は、前記弾性片の基端位置の切り込み線部分との係止が解除されて、弾性片の紙箱内面に当接状態で係止し、
係止解除時位置にある摘み片の紙箱外方への引き出しにより、嵌め込み片が当接している弾性片が撓み変形してこの弾性片と嵌め込み片との当接係止が解除されて、前記嵌め込み片が差し込み口から抜き取り可能とされる構成とした請求項１に記載の包装用紙箱。
【請求項３】
上記紙箱胴部は正面板と背面板と左右の側面板とからなり、前記左右の側面板それぞれの上部を紙箱胴部の中心側に折り入れて前記正面板の上辺と背面板の上辺とを近接させて、正面板と背面板と左右の側面板との上辺で囲まれてなる紙箱胴部の上部が閉じられており、
上記重ね合わせ板は、前記正面板の上辺に連接されて前記背面板の箱外面側に折り重ねられ、重ね合わせ板が有する上記嵌め込み片が挿入する上記差し込み口が、前記背面板に設けられている請求項１または２に記載の包装用紙箱。
【請求項４】
上記紙箱胴部は正面板と背面板と左右の側面板とからなり、正面板と背面板と左右の側面板との上辺で囲まれてなる紙箱胴部の上部が、正面板の上辺に連接の蓋板により閉じられており、
上記重ね合わせ板は、前記蓋板の折り元とは反対側の辺に連接されて前記背面板の紙箱外面側に折り重ねられ、重ね合わせ板が有する上記嵌め込み片が挿入する上記差し込み口が、前記背面板に設けられている請求項１または２に記載の包装用紙箱。
【発明の詳細な説明】
【技術分野】
【０００１】
本発明は取り出し口などとする開口部分を閉じた状態に維持する係止構造を備えている包装用紙箱に関するものである。
【背景技術】
【０００２】
従来、包装用紙箱に菓子類や小物類などの物品を入れた商品を一般小売店舗で陳列販売する場合、包装用紙箱の取り出し口などの開口部分は閉じた状態とされており、購買者側での商品に対するちょっとした不用意な取り扱いでも取り出し口が開かないようにし、また、いたずらで取り出し口を開けようとする不正行為を抑止することを目的とした工夫が数多く提案されている。
【０００３】
例えば、特許文献１では以下の工夫が示されている。この特許文献１は紙箱に関するもので、紙箱胴部の上部の取り出し口を蓋板で覆い、その蓋板の端辺に折り罫を介して紙箱胴部の内側に入れる下垂板を連接し、その下垂板に差し込み口を切り込み形成して切り込み口の端部それぞれから前記折り罫側に達するミシン目を入れ、下垂板が内面に対応位置する紙箱胴部の一つの面板に前記差し込み口に挿入する嵌め込み片を設けて、その嵌め込み片が差し込み口に挿入して係止することで蓋板が上がらないようにしている。
【０００４】
そして、下垂板での前記ミシン目の位置を切断してそのミシン目の間の板片を持ち上げることで、差し込み口と前記嵌め込み片との係止状態を解いて、即ち、蓋板の下垂板と前記一つの面板との連結を解いて、下垂板を伴ないながら蓋板を開くことができるようにしたものである。この工夫では、蓋板を持ち上げて取り出し口となる紙箱胴部の上面を開くにはミシン目を切断する必要があり、不用意な取り扱いをしてもそのミシン目が切断されることはなく、また、ミシン目を手操作で切断する操作を行なわなければ紙箱が開封されないので、いたずらによる開封を抑止する効果も期待できるものである。
【０００５】
また、特許文献２では、紙箱を、紙箱胴部が正面板と背面板と左右の側面板とからなるものとし、左右の側面板それぞれの上部を紙箱胴部の中心側に折り入れて正面板の上辺と背面板の上辺とを近接させ、正面板と背面板と左右の側面板との上辺で囲まれてなる紙箱胴部の上部を閉じ、正面板の上辺に連接の重ね合わせ板を背面板の箱外面側に折り重ねている。
【０００６】
そして、重ね合わせ板が有する嵌め込み片を背面板に切り込み形成した差し込み口に挿入して係止させ、重ね合わせ板が背面板に重なることで紙箱胴部の上部を開かないように維持しており、重ね合わせ板に設けられているファスナーの部分で重ね合わせ板自体を切断分離することで重ね合わせ板と背面板との連結が解かれ、切断した残りの重ね合わせ板を上げて紙箱胴部の上部を開くことができるようにしている。このようにファスナーの部分での重ね合わせ板の切断分離をしない限りには紙箱の開封が行なえず、不用意な取り扱いによる紙箱胴部の取り出し口（紙箱胴部の上部）の開きを防止し、いたずらを目的とした取り出し口の開き操作を抑えることが期待できるものであった。
【先行技術文献】
【特許文献】
【０００７】
【特許文献１】実用新案登録第３０９２４９７号公報
【特許文献２】実用新案登録第３０８３９３５号公報
【発明の概要】
【発明が解決しようとする課題】
【０００８】
しかしながら、開封に際してミシン目を切断しながらそのミシン目の間の板片を上げて差し込み口と嵌め込み片との係止を解くようにした特許文献１の紙箱では、開封後の紙箱の外観が崩れてしまうとともに、開封した後での蓋閉じを行なうに際しては開封前の係止を構成することができず、従来の紙箱での蓋閉じの構成と同じように側面板に連接の内フラップに、蓋板と下垂板との連続部分（折り罫）の端を係脱可能に係止させる構成となってしまうものであった。
【０００９】
また、ファスナーで重ね合わせ板を切断分離して取り出し口を開くことができる特許文献２の紙箱においても、やはり開封後の紙箱の外観が崩れてしまうという欠点がある。さらにこの特許文献２の紙箱は再封止する用途に適するものではなく、再封を行なうには他の用具を用いて取り出し口（紙箱胴部の上部）を閉鎖維持しなければならないという問題が発生する。
【００１０】
そこで本発明は上記事情に鑑み、紙箱における嵌め込み片を差し込み口に挿入して係止させるという簡易な構成でありながら、不用意な取り扱いで嵌め込み片が差し込み口から外れるのを防止するとともに、いたずらによる不正開封を抑止し、さらに嵌め込み片を差し込み口に挿入して再封した後も不用意な嵌め込み片の外れやいたずらの抑止の機能を有するようにすることを課題とし、紙箱胴部の取り出し口の閉鎖が良好に行なえる紙箱を提供することを目的とするものである。
【課題を解決するための手段】
【００１１】
（請求項１の発明）
本発明は上記課題を考慮してなされたもので、紙箱胴部の一つの面板の紙箱外面に重ね合わされる重ね合わせ板に嵌め込み片が連接されていて、該嵌め込み片が、前記面板での切り込みからなる差し込み口を通して前記面板の紙箱内面に沿って挿入され、この挿入された嵌め込み片が、差し込み口の切り込み縁に係止している包装用紙箱において、
前記差し込み口には、前記嵌め込み片が係止する切り込み縁とは反対側に位置して嵌め込み片の挿入方向とは反対方向に向けて凸にした押圧片が形成され、
前記嵌め込み片は、重ね合わせ板との連接部分を中心にして回動可能に設けられているとともに、前記連接部分から重ね合わせ板に切り込み形成してなる摘み片が、前記押圧片と対応する位置にして連接されていて、
前記摘み片は、摘み片が前記面板の紙箱外面に重なって伏して、嵌め込み片を前記面板の紙箱内面に沿って位置させて差し込み口に係止させる係止時位置と、摘み片が前記面板の紙箱外面から外方に向くように回動し、嵌め込み片を前記面板の紙箱内面から紙箱胴部中心に向くように連接部分を中心にして回動させて差し込み口との係止を解除させた係止解除時位置との二位置に配置可能とされ、
差し込み口に挿入して係止した嵌め込み片での摘み片近傍部分に対する前記押圧片の重ね合わせにより、摘み片が前記面板の紙箱外面に伏せ状態で重なるように付勢されて、前記摘み片が前記係止時位置に維持される構成としたことを特徴とする包装用紙箱を提供して、上記課題を解消するものである。
【００１２】
（請求項２の発明）
また、本発明は、上記差し込み口には、切り込み縁を嵌め込み片の挿入方向に向けて凸形にした弾性片形成部により、嵌め込み片挿入方向に向けて凸にして板紙厚さ方向に撓み可能な弾性片が形成されていて、
上記摘み片が係止時位置にあるときの嵌め込み片は、前記弾性片の基端位置にある切り込み線部分に係止して、この嵌め込み片の紙箱外面に前記弾性片が重なり、
前記摘み片が係止解除時位置にあって紙箱胴部中心側に向いた嵌め込み片は、前記弾性片の基端位置の切り込み線部分との係止が解除されて、弾性片の紙箱内面に当接状態で係止し、
係止解除時位置にある摘み片の紙箱外方への引き出しにより、嵌め込み片が当接している弾性片が撓み変形してこの弾性片と嵌め込み片との当接係止が解除されて、前記嵌め込み片が差し込み口から抜き取り可能とされる構成とすることが可能である。
【００１３】
（請求項３の発明）
また、本発明は、上記紙箱胴部は正面板と背面板と左右の側面板とからなり、前記左右の側面板それぞれの上部を紙箱胴部の中心側に折り入れて前記正面板の上辺と背面板の上辺とを近接させて、正面板と背面板と左右の側面板との上辺で囲まれてなる紙箱胴部の上部が閉じられており、
上記重ね合わせ板は、前記正面板の上辺に連接されて前記背面板の箱外面側に折り重ねられ、重ね合わせ板が有する上記嵌め込み片が挿入する上記差し込み口が、前記背面板に設けられているものとすることが可能である。
【００１４】
（請求項４の発明）
またさらに、本発明は、上記紙箱胴部は正面板と背面板と左右の側面板とからなり、正面板と背面板と左右の側面板との上辺で囲まれてなる紙箱胴部の上部が、正面板の上辺に連接の蓋板により閉じられており、
上記重ね合わせ板は、前記蓋板の折り元とは反対側の辺に連接されて前記背面板の箱外面側に折り重ねられ、重ね合わせ板が有する上記嵌め込み片が挿入する上記差し込み口が、前記背面板に設けられているものとすることが可能である。
【発明の効果】
【００１５】
（請求項１の発明の効果）
請求項１の発明によれば、差し込み口に挿入して係止した嵌め込み片の摘み片が、押圧片の重ね合わせで面板の紙箱外面に伏せ状態で重なるように付勢されて、嵌め込み片が係止している時の係止時位置に摘み片を維持するので、包装用紙箱を不用意に取り扱ったとしても摘み片が自然に紙箱外方に向けて起きるという不具合を生じない。また、不正に開封しようとした場合でも、摘み片を面板に伏した状態のままその面板に沿って引っ張る操作をすることとなり、その伏した状態では係止が解かれていないため、不正な開封を防止できる。
【００１６】
（請求項２の発明の効果）
請求項２の発明によれば、面板に伏して係止時位置にある摘み片を引き起こして係止解除時位置にし、さらにその摘み片の紙箱外方へ引き出すことで、嵌め込み片が差し込み口から抜き取りできるようにしているので、正規の開封操作を行なわないかぎり開封することができず、不正な開封操作を抑止することができる。さらに前述の操作手順で開封することとなるので、包装用紙箱を不用意に取り扱ったとしても誤った開封が生じないという利点がある。
【００１７】
（請求項３、４の発明の効果）
そして、請求項３、４の発明によれば、不正開封を防止するとともに不用意な取り扱いをしても開封せず、簡易で正規の開封操作を行なうことで開封できる紙箱を得ることができる。
【図面の簡単な説明】
【００１８】
【図１】本発明に係る包装用紙箱の一例において重ね合わせ板側を示す説明図である。
【図２】ブランクにて一例の展開状態を示す説明図である。
【図３】摘み片が係止時位置にある状態を示すもので、（ａ）は図１ａ−ａ線に沿った位置での断面を示す説明図、（ｂ）は図１ｂ−ｂ線に沿った位置での断面を示す説明図、（ｃ）は図１ｃ−ｃ線に沿った位置での断面を示す説明図である。
【図４】嵌め込み片の係止を示す説明図である。
【図５】摘み片が係止解除時位置にある状態を断面で示す説明図である。
【図６】嵌め込み片を差し込み口から抜き取る状態を断面で示す説明図である。
【図７】重ね合わせ板を上げて紙箱胴部の上部を開く状態を示す説明図である。
【図８】ブロック状の他の例を示す説明図である。
【発明を実施するための形態】
【００１９】
つぎに本発明を図１から図８に示す実施の形態に基づいて詳細に説明する。図中１は包装用紙箱で一枚のブランクから形成されているもので、この実施の例にあっては紙箱上部の側面視形状が上方に凸形の尖頭状となる外観を有する紙箱とされているものである。図２のブランクで示されているように、本包装用紙箱１は、連接した背面板２と左側面板３と正面板４と右側面板５との各連接部分を折り、背面板２の左側面板３とは反対側に連接した糊代６を右側面板５に貼着して紙箱胴部７が形成されている。
【００２０】
上記紙箱胴部７を構成している背面板２と左側面板３と正面板４と右側面板５との各下辺にはそれぞれ底部形成フラップ8が連接されていて、左右の側面板３、５に連接の前記底部形成フラップ８を折り倒した後に、それらに背面板２に連接の底部形成フラップ８を折り重ね、さらに正面板４に連接の底部形成フラップ８を折り重ねて貼り合わせることで、紙箱の底部を閉鎖している。
【００２１】
また、側面視で尖頭状の外観とするために、左右の側面板３、５の上部側には逆Ｙ字状にした折り罫９が入れられ、この折り罫９を折り位置として左右の側面板３、５それぞれの上部を紙箱胴部の中心側に折り入れ、前記正面板４の上辺４ａと背面板２の上辺２ａとを、その間に左右の側面板３、５の上辺３ａ、５ａが位置するようにして近接させ、正面板４と背面板２と左右の側面板３、５との上辺４ａ、２ａ、３ａ、５ａで囲まれてなる紙箱胴部７の上部を閉じている。
【００２２】
本実施の例にあっては紙箱胴部７の上部が閉じた状態を維持するための工夫が設けられていて、上記正面板４の上辺４ａに連接された重ね合わせ板１０が、紙箱胴部７の一つの面板である背面板２に重ね合わされている。さらに、前記重ね合わせ板１０には、正面板４との連接部分とは反対側である自由端の中央にして嵌め込み片１１が連接されているとともに、背面板２には、前記嵌め込み片１１を挿入できる幅にして差し込み口１２が切り込み形成されている。
【００２３】
嵌め込み片１１は差し込み口１２を通して背面板２の紙箱内面２ｂに沿って挿入され、差し込み口１２での背面板２の上辺２ａ側である切り込み縁１３に係止している。この差し込み口１２周りで起立するような片材が無い状態において嵌め込み片１１が差し込み口１２の切り込み縁１３に係止することで、重ね合わせ板１０と背面板２とが連結され、紙箱胴部７の上部を閉じた状態を維持している。
【００２４】
本実施の例では、上記差し込み口１２周りで起立するような片材が何ら無く、嵌め込み片１１が差し込み口１２に係止している包装用紙箱１に対して不用意な取り扱いをして重ね合わせ板１０を背面板２の紙箱外面に沿った方向で引っ張ったり、また、不正な開封操作にて重ね合わせ板１０を背面板２の紙箱外面に沿った方向に引っ張るような操作をした場合にも重ね合わせ板１０と背面板２との連結が維持され、さらに適正な開封の手順を踏んで操作した時には嵌め込み片１１が差し込み口１２から抜け出て、重ね合わせ板１０と背面板２とが離れて紙箱胴部の上部を開くことができる工夫を有しているものである。その工夫を以下に説明する。
【００２５】
（差し込み口）
図２と図４に示すように差し込み口１２を形成する切り込み線の両端部側それぞれを、嵌め込み片の挿入方向に向けて凸形となる形状にして弾性片形成部１４を有している。即ち、差し込み口１２での背面板の上辺２ａ側である切り込み縁１３の端部それぞれの形状を嵌め込み片の挿入方向に向けて凸にして弾性片形成部１４を形成しており、これによって差し込み口１２の両端部に弾性片１５が設けられており、この弾性片１５は板紙厚さ方向に撓み可能とされている。
【００２６】
また、上記切り込み線の両端部側を除く部分は嵌め込み片の挿入方向とは反対側に向けて凸形としており、切り込み縁１３に相対する切り込み縁１６に背面板２の上辺２ａ側に向けて凸の押圧片形成部１７を形成し、これによって差し込み口１２での弾性片１５の間には、嵌め込み片の挿入方向とは反対方向に向けて凸の押圧片１８が設けられている。
【００２７】
（嵌め込み片）
上記嵌め込み片１１は、図示されているように重ね合わせ板１０との連接部分１９の位置から両端部が、該嵌め込み片１１の上記差し込み口１２に対する挿入方向と直交する方向（重ね合わせ板と嵌め込み片との連接方向に直交する方向）に張り出ている。そして、この嵌め込み片１１は、前記連接部分１９を中心にして重ね合わせ板１０の背面側に回動可能に設けられている。そのため、差し込み口１２に挿入した状態では、嵌め込み片１１が背面板２の紙箱内面に沿って位置するが、後述の操作を行なえば、この嵌め込み片１１全体が、背面板２の紙箱内面から紙箱胴部中心に向けて起きるように前記連接部分１９を中心にして回動することができる。
【００２８】
さらに嵌め込み片１１は、図示されているように、対の連接部分１９を結ぶ位置から重ね合わせ板１０に切り込み形成してなる摘み片２０が、押圧片１７と対応する位置にして連接されていて、摘み易くするための開口部分がその摘み片２０の周りに形成されている。
【００２９】
（摘み片）
本実施の例において、重ね合わせ板１０を背面板２に重ね合わせて上記嵌め込み片１１を差し込み口１２に挿入することで、その嵌め込み片１１の端部が一旦上記弾性片１５の部分を乗り越えて紙箱胴部の内方に入り、その後に重ね合わせ板自体の復元力などによって僅かながら引き戻されることで弾性片１５の紙箱内面側に前記嵌め込み片１１の端部それぞれが位置して前記弾性片１５が嵌め込み片１１の端部の紙箱外面側に重なっている。そして、弾性片１５の基端位置での切り込み縁１３に嵌め込み片１１が係止し、嵌め込み片１１が差し込み口１２から抜けないようにしている。
【００３０】
（係止時位置）
上述した嵌め込み片１１が差し込み口１２の切り込み縁１３に係止している状態ではその嵌め込み片１１自体は背面板２の紙箱内面２ｂに沿って接しており、嵌め込み片１１に連接の摘み片２０は、係止時位置Ａとして背面板２の紙箱外面２ｃに重なって伏している（図３（ｃ））。
【００３１】
（係止解除時位置）
また、摘み片２０は重ね合わせ板１０の紙箱外方側に起こすように回動させることができるものであり、本包装用紙箱１での実施の例では、摘み片２０は係止時位置から背面板２の紙箱外面２ｃから外方に向くように回動させることができる。このように摘み片２０を回動させると、差し込み口１２に挿入されている嵌め込み片１１を背面板２の紙箱内面２ｂから紙箱胴部中心に向くように連接部分を中心にして回動させ、差し込み口１２の切り込み縁１３との係止を解除させた状態となり、この摘み片２０が背面板２の紙箱外面２ｃから外方に向くように回動して起きた状態の位置が係止解除時位置Ｂとなる（図５）。
【００３２】
なお、上記係止解除時位置Ｂは、紙箱外面２ｃから外方に向けて起きた角度が何度と定まるものではなく、摘み片２０を指先で摘み持ち、前述のように嵌め込み片１１と切り込み縁１３との係止が解除される状態となる位置である。また、この係止解除時位置Ｂは嵌め込み片１１と切り込み縁１３との係止関係が解かれる状態のみであり、この位置で、嵌め込み片１１が差し込み口１２から自然と抜け出るわけでなく無く、重ね合わせ板と背面板との連結は保たれる。
【００３３】
上述したように、包装用紙箱１の外観上で、摘み片２０自体は上記係止時位置Ａと係止解除時位置Ｂとの二位置に配置可能とされているものであるが、差し込み口１２に挿入した嵌め込み片１１での摘み片近傍部分に対して上記押圧片１８が重ね合わされていて、この押圧片１８の重ね合わせにより、摘み片２０が背面板２の紙箱外面２ｃに伏せ状態で重なるように付勢されている。そのため、包装用紙箱１を棚などに設置しただけの状態では摘み片２０が係止時位置Ａに維持されている。
【００３４】
押圧片１８の重ね合わせで係止時位置Ａに摘み片２０を維持することでの利点は、包装用紙箱１を不用意に取り扱ったとしても摘み片２０が自然に紙箱外方に向けて起きるという不具合を生じない点である。また、不正に開封しようとした場合でも、摘み片２０を背面板２に伏した状態のままその背面板２の紙箱外面２ｃに沿って引っ張る操作をすることとなり、係止時位置Ａがだまし位置となって不正な開封操作を防止する点である。
【００３５】
（弾性片）
上記弾性片１５は、上述したように摘み片２０が係止時位置Ａにあるときに嵌め込み片１１に重なってその嵌め込み片１１の差し込み口１２における切り込み縁１３との係止がより確実になるようにしている（図３（ａ））。さらに摘み片２０が係止解除時位置Ｂにあって嵌め込み片１１が紙箱胴部中心側に向いた状態では、弾性片１５の基端位置の切り込み線１２と嵌め込み片１１との係止が解除されてはいるが、この弾性片１５の紙箱内面１５ａに嵌め込み片１１の端部が当接状態で係止する（図５）。
【００３６】
このように摘み片２０が係止解除時位置Ｂにあって起きている場合でも、弾性片１５に嵌め込み片１１が当接して係止しているので、その嵌め込み片１１が差し込み口１２から自然に抜け出るのを確実に防止することとなる。例えば本包装用紙箱１が不適切に扱われて摘み片２０に他物が引っ掛かって起きるようなことがあっても嵌め込み片１１が差し込み口１２からは抜け出ず、重ね合わせ板１０と背面板２との連結が解かれるということはない。即ち、紙箱胴部の上部が開くということが防止される。そして、上述したように押圧片１７が嵌め込み片１１での摘み片近傍部分に対して重ね合わされて押圧しており、不用意に起きた摘み片２０が係止時位置Ａに戻される。
【００３７】
（嵌め込み片の抜き出し）
摘み片２０が上記係止解除時位置Ｂにあれば、弾性片１５の紙箱内面１５ａに対して起きた状態で嵌め込み片１１が当接して係止している状態であり、そして弾性片１５は撓み可能であることから、係止解除時位置Ｂの摘み片２０を摘み持ちながら紙箱外方に向けて引き出す操作を行なうと、弾性片１５が撓み変形してこの弾性片１５と嵌め込み片１１との当接係止が解除されて、この嵌め込み片１１が差し込み口１２から抜き取りできる（図６）。嵌め込み片１１を差し込み口１２から抜き取った後に重ね合わせ板１０を上方に上げるようにすれば、閉じた状態であった紙箱胴部の上部を開くことができる（図７）。
【００３８】
なお、再封は重ね合わせ板１０を背面板２に重ね合わせて嵌め込み片１１を差し込み口１２に挿入して上述のように切り込み縁１３に係止させればよい。また、嵌め込み片１１を差し込み口１２に挿入して再封した後も、上述した未開封状態での係止と何ら変わることのない係止関係が形成されるので、不用意な嵌め込み片の外れやいたずらの抑止の機能を再封後においても失うことがない。
【００３９】
上述したように、本実施の例では、閉じられた紙箱胴部の上部を開くには、背面板２と重ね合わせ板１０との連結を解いて重ね合わせ板１０を上方に上げる必要がある。そして、背面板２と重ね合わせ板１０との連結を解くには、嵌め込み片１１と差し込み口１２の切り込み縁１３との係止を解く必要があり、その係止を解くには摘み片２０を起こして係止解除時位置Ｂにし、この係止解除時位置Ｂにした状態で嵌め込み片１１を差し込み口１２から抜き取ることが必要となる。
【００４０】
包装用紙箱１の紙箱胴部の上部を開くための上述した一連の操作は決して難しいものではなく、正規の操作を把握している人にとっては簡単に行なえるが、不正な開封操作として係止時位置にある摘み片２０をそのまま背面板２の紙箱外面に沿って引っ張る操作をしても開封できないものであり、不正な開封の操作を抑止することができる。勿論、不用意な取り扱いをしても摘み片２０が一時的に起きるだけであり、この場合でも紙箱胴部の上部が誤って開放されてしまうことがない。
【００４１】
上記実施の例において連接部分１９には折り罫２１が入れられていて、摘み片２０を係止時位置Ａから係止解除時位置Ｂに回動させる操作に対して連接部分１９での紙材の反発力を生じ難くし、その回動操作を行ない易くしている。また、その折り罫２１の位置にて紙材断面方向での少しの段付きを許容して、摘み片２０が係止時位置Ａにあるときの差し込み口での連結部分１９の収まりを良好にする。
【００４２】
（他の実施の例）
上記実施の例では紙箱胴部の上部が側面視で尖頭状の形状となるものを示したが、本発明はこの例に限定されるものではなく、通常のボックス状の紙箱にも実施できるものである。図８は本発明の包装用紙箱１をボックス状とした例を示している。この例においても紙箱胴部７は正面板４と背面板２と左右の側面板３、４とからなり、その紙箱胴部７の上部に位置する開口が正面板４の上辺に連接の蓋板２２で覆われて閉じられている。さらに、前記蓋板２０の正面板４との連接部分（蓋板の折り元）とは反対側に重ね合わせ板１０が連接され、この重ね合わせ板１０が紙箱胴部７の一つの面板である背面板２の紙箱外面に折り重ねるようにして重ね合わされている。
【００４３】
この実施の例においても重ね合わせ板１０の蓋板側とは反対側の辺に上記嵌め込み片１１が連接され、この嵌め込み片１１が挿入する上記差し込み口１２が背面板２に設けられていて、嵌め込み片１１が差し込み口１２に挿入され係止することで、重ね合わせ板１０と背面板２とが連結されている。そして、重ね合わせ片と差し込み口における切り込み縁との係止構成、差し込み口の弾性片と押圧片、嵌め込み片に連接の摘み片は上記実施の例と同じであり、さらに摘み片が係止時位置と係止解除時位置との二位置に配置可能とされている点も同じである。このように他の実施の例と示した例では紙箱の基本的外観形状がボックス状としている点のみで、先に示した実施の例を相違しているだけである。
【符号の説明】
【００４４】
１…包装用紙箱
２…背面板
２ｂ…背面板の紙箱内面
２ｃ…背面板の紙箱外面
４…正面板
７…紙箱胴部
１０…重ね合わせ板
１１…嵌め込み片
１２…差し込み口
１３…切り込み縁
１５…弾性片
１５ａ…弾性片の紙箱内面
１７…押圧片形成部
１８…押圧片
１９…連接部分
２０…摘み片
２１…折り罫
Ａ…係止時位置
Ｂ…係止解除時位置
【図１】
2015054719.tif 000003
【図２】
2015054719.tif 000004
【図３】
2015054719.tif 000005
【図４】
2015054719.tif 000006
【図５】
2015054719.tif 000007
【図６】
2015054719.tif 000008
【図７】
2015054719.tif 000009
【図８】
2015054719.tif 000010